(57)【要約】【課題】  光学式ピックアップよりディスクに対して信号の記録再生動作を行う光ディスク記録再生装置のレーザー駆動信号制御方法を提供する。【解決手段】  光検出器３より得られるＲＦ信号を増幅するＲＦ信号増幅回路５と、該ＲＦ信号増幅回路５より出力されるＲＦ信号の中の再生期間のＲＦ信号をサンプリングする再生期間サンプリング回路７と、該サンプリング回路７より得られるＲＦ信号のレベルを検出する信号レベル検出回路８と、レーザーダイオード１に供給される記録用パルス信号の記録レベル値と再生レベル値及び再生動作を行う再生動作用レベル値を設定する制御回路６とより成り、記録動作時信号レベル検出回路８にて検出される信号レベルを一定にするべく再生レベル信号を出力する回路に対してサーボ動作を行うとともに再生動作時出力される再生動作用レベル値の補正動作を行う。【選択図】    図１
2005050452.tif 000002
【特許請求の範囲】
【請求項１】
光学式ピックアップに組み込まれているレーザーダイオードを記録レベル値及び再生レベル値より成る記録用パルス信号にて点灯駆動することによってディスクに信号を記録し、前記レーザーダイオードを再生レベル値の駆動信号にて点灯駆動することによってディスクに記録されている信号を再生するように構成されているとともにディスク上の同一位置における記録中断再開動作を記録中断前にディスクに記録された信号を再生することにより行うように構成された光ディスク記録再生装置において、前記光学式ピックアップに組み込まれているとともにディスクから反射されるレーザー光を電気信号に変換する光検出器と、該光検出器より得られるＲＦ信号が入力されるとともに該信号を増幅するＲＦ信号増幅回路と、該ＲＦ信号増幅回路より出力されるＲＦ信号の中の再生期間のＲＦ信号をサンプリングする再生期間サンプリング回路と、該サンプリング回路より得られるＲＦ信号のレベルを検出する信号レベル検出回路と、レーザーダイオードに供給される記録用パルス信号の記録レベル値と再生レベル値及び再生動作を行う再生動作用レベル値を設定する制御回路とより成り、記録動作時信号レベル検出回路にて検出される信号レベルを一定にするべく再生レベル信号を出力する回路に対してサーボ動作を行うとともに該再生レベルの変化に応じて再生動作用レベル値の補正動作を行うようにしたことを特徴とする光ディスク記録再生装置のレーザー駆動信号制御方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置に関する。
【背景技術】
【０００２】
光学式ピックアップを用いてディスクに記録されている信号の読み出し動作を行うディスクプレーヤーが普及しているが、最近では、再生機能に加えて光学式ピックアップより照射されるレーザー光によってディスクに信号を記録することが出来るように構成された光ディスク記録再生装置が商品化されている。
【０００３】
斯かる光ディスク記録再生装置の中には、ディスクへの信号の記録動作を１回しか行うことが出来ない追記型と呼ばれる方式があり、ＣＤ方式の記録ディスクを使用するＣＤ−Ｒ型の記録再生装置が広く普及している。斯かる追記型の光ディスク記録再生装置では、光学式ピックアップに組み込まれているレーザーダイオードを図２の(Ａ)に示す記録レベル値ＶＲ及び再生レベル値ＶＰより成るパルス信号にて点灯駆動して信号をディスクに記録するように構成されている。
【０００４】
斯かる波形のパルス信号にてレーザーダイオードを点灯駆動させることによってディスクに信号を記録する光ディスク記録再生装置では、記録レベル値ＶＲ及び再生レベル値ＶＰを正確に制御してディスクに高品質な記録動作を行う技術が開発されている(例えば、特許文献１参照。)。
【０００５】
そして、斯かる光ディスク記録再生装置において、ディスクに記録されている信号の再生動作は、図３に示すような信号、即ち再生動作用レベル値Ｐの駆動信号をレーザーダイオードに供給することによって行うように構成されている。
【０００６】
また、光ディスク記録再生装置は、コンピューター装置と接続して使用され、該コンピューター装置から出力されるデータ信号をディスクに記録するように構成されている。そして、斯かる記録動作を行う場合にコンピューター装置から出力される記録信号であるデータ信号は、光ディスク記録再生装置に組み込まれているバッファＲＡＭと呼ばれるメモリー回路に一旦記憶され、その記憶されたデータ信号を読み出すことによってディスクに記録されるように構成されている。
【０００７】
斯かる光ディスク記録再生装置において、ディスクへの信号の記録速度に対してコンピューター装置からのデータ信号の出力速度が遅くなると、前記バッファＲＡＭに記憶されているデータ信号の量が不足する状態、即ちバッファアンダーランと呼ばれる状況になる。斯かるバッファアンダーランの状況になると記録動作を続けることが出来ないので記録エラーが発生することになり、追記型のディスクでは該ディスクを廃棄せざるを得ないことになる。斯かるバッファアンダーランが発生する状況になると記録動作を一旦中断させ、データ信号の量が増加した場合に記録動作を再開させることによってバッファアンダーランによるエラーを防止する技術が開発されている(例えば、特許文献２参照。)。
【特許文献１】特開２００２−２３０７６８号公報
【特許文献２】特開２０００−４０３０２号公報
【発明の開示】
【発明が解決しようとする課題】
【０００８】
ディスクへの信号の記録動作を正確に行うためには、レーザーダイオードより照射されるレーザー光の出力を制御する必要があり、従来では、レーザーダイオードより照射されるレーザー光のレベルをモニターするモニター用ダイオードを設け、そのモニターダイオードより得られるモニター信号を利用してレーザー光の出力を調整するように構成されている。
【０００９】
斯かる構成によれば、レーザー光の出力制御動作を正確に行うことが出来るものの光学式ピックアップにモニター用ダイオードを設ける必要があるため、光学式ピックアップの価格が高価になるという問題がある。
【００１０】
そして、特許文献２に記載の技術によれば、バッファアンダーランによるエラーを防止することが出来るが、斯かる機能を備えた光ディスク記録再生装置では、記録動作を中断させた後、記録を中断させた位置より記録動作を再開させる必要がある。斯かる記録再開動作は、記録中断前にディスクに記録された信号の再生動作を行い、その再生された信号と同期合わせ処理を行うことによって記録の再開動作を行うように構成されている。従って、記録動作状態より再生状態に切換た後記録動作状態に切り換えるという動作を短時間の間に行う必要がある。そして、この場合には再生動作を正確に行う必要があるので、信号の再生動作を行うためにレーザーダイオードに供給される駆動信号の再生動作用レベルを正確に設定する必要がある。
【００１１】
本発明は、斯かる再生動作用レベルを正確に設定することが出来るレーザー駆動信号の制御方法を提供しようとするものである。
【課題を解決するための手段】
【００１２】
本発明は、光学式ピックアップに組み込まれているとともにディスクから反射されるレーザー光を電気信号に変換する光検出器と、該光検出器より得られるＲＦ信号が入力されるとともに該信号を増幅するＲＦ信号増幅回路と、該ＲＦ信号増幅回路より出力されるＲＦ信号の中の再生期間のＲＦ信号をサンプリングする再生期間サンプリング回路と、該サンプリング回路より得られるＲＦ信号のレベルを検出する信号レベル検出回路と、レーザーダイオードに供給される記録用パルス信号の記録レベル値と再生レベル値及び再生動作を行う再生動作用レベル値を設定する制御回路とより成り、記録動作時信号レベル検出回路にて検出される信号レベルを一定にするべく再生レベル信号を出力する回路に対してサーボ動作を行うとともに該再生レベルの変化に応じて再生動作用レベル値の補正動作を行うように構成されている。
【発明の効果】
【００１３】
本発明のレーザー駆動パルス制御方法によれば光学式ピックアップにレーザーダイオードの発光出力をモニターするモニター用ダイオードが不要になるため、光学式ピックアップの価格を低下させることが出来る。
【００１４】
また、本発明は、記録動作を行っている状態において、信号レベル検出回路にて検出される信号レベルの制御動作を行い、その信号レベルの変化を利用して再生動作用レベル値の補正動作を行うようにしたので、記録動作の中断再開動作をディスク上の同一位置から行う場合に記録中断前に記録された信号の再生動作を行うレーザー出力を最適なレベルに設定することが出来る。
【発明を実施するための最良の形態】
【００１５】
本発明は、レーザーダイオードより照射されるレーザー光の出力レベルをモニターする
モニター用ダイオードを備えていない光学式ピックアップのレーザー出力を制御するためにディスクより反射される信号であるＲＦ信号の中の再生期間のレベルを利用するようにしたものである。
【実施例１】
【００１６】
図１は本発明に係る光ディスク記録再生装置の一実施例を示す回路図、図２及び図３は本発明の動作を説明するための波形図である。
【００１７】
図１において、１は光学式ピックアップに組み込まれているとともにレーザー光を照射するレーザーダイオードであり、レーザー駆動回路２から供給される電流によって駆動されるように接続されている。３は前記レーザーダイオード１より照射され、ディスク４から反射されたレーザー光を受光する光検出器であり、レーザー光を電気信号に変換する作用を有する。
【００１８】
５は前記光検出器３にて電気信号に変換されたＲＦ信号(高周波信号)が入力されるとともに該信号を増幅するＲＦ信号増幅回路である。図２の(Ａ)は、レーザーダイオード１に供給されるレーザー駆動パルスの波形を示すものであり、信号の記録動作を行う記録期間は記録レベル値ＶＲの駆動信号がレーザーダイオード１に供給され、記録動作を行わない再生期間は再生レベル値ＶＰの駆動信号がレーザーダイオード１に供給される。
【００１９】
６は後述するレーザー駆動信号のレベル設定等の制御動作を行う制御回路、７は前記制御回路６によって動作が制御される再生期間サンプリング回路であり、前記ＲＦ信号増幅回路５より出力されるＲＦ信号が入力されるとともに再生期間のＲＦ信号をサンプリング抽出して出力するように構成されている。８は前記再生期間サンプリング回路７によってサンプリングされた信号が入力されるとともにその信号のレベルを検出する信号レベル検出回路であり、前記制御回路６に検出信号を出力するように構成されている。
【００２０】
９は前記制御回路６によって動作が制御される記録レベル信号出力回路であり、ディスクに信号を記録する記録レベル値ＶＲの信号をレーザー駆動回路２より出力させる信号を出力するように設定されている。１０は前記制御回路６によって動作が制御される再生レベル信号出力回路であり、記録動作時には再生レベル値ＶＰの信号をレーザー駆動回路２より出力させる信号を出力させるとともに再生動作時には再生動作用レベル値Ｐの信号をレーザー駆動回路２より出力させる信号を出力するように設定されている。
【００２１】
１１は記録動作時前記信号レベル検出回路８より得られる信号のレベル、即ち再生期間に得られるＲＦ信号のレベルを一定にするべく前記再生レベル信号出力回路１０に対するサーボ動作を行うサーボ回路である。
【００２２】
１２は前記記録レベル信号出力回路９及び再生レベル信号出力回路１０の出力信号が入力される加算回路であり、前記制御回路６による制御動作によって入力される信号の選択加算動作を行い、その選択加算された信号を前記レーザー駆動回路２に供給するように構成されている。
【００２３】
斯かる構成において、レーザーダイオード１より照射されるレーザー光はディスク４から反射されて光検出器３によって受光され、その出力に応じたＲＦ信号が出力される状態にある。図２の(Ａ)は、レーザーダイオード１に供給される駆動電流のパルス波形を示し、図２の(Ｂ)は光検出器３より得られるＲＦ信号を増幅するＲＦ増幅回路５の出力信号であり、信号レベルに応じて波形整形されている。斯かる図より明らかなように記録レベル値ＶＲに対応して得られるＲＦ信号のレベルは立ち上がり部分のレベルが最も高く、その後徐々に低下する特性がある。また、図２の(Ｃ)は、制御回路６より再生期間サンプリン
グ回路７に対して出力されるサンプリングパルスであり、再生レベル値ＶＰの駆動信号がレーザーダイオード１に供給されている期間のＲＦ信号を抽出するタイミングで出力されるように構成されている。
【００２４】
ディスク４への信号の記録動作が行われている状態では、再生期間サンプリング回路７によって再生期間のＲＦ信号がサンプリングされるので、再生期間のＲＦ信号のレベルがモニターされた状態にある。そして、前記再生期間サンプリング回路７によってサンプリングされて得られるＲＦ信号であるモニター信号は、信号レベル検出回路８に入力されてそのレベルを検出された後制御回路６に入力される。斯かるモニター信号が前記制御回路６に入力されると、該制御回路６は、サーボ回路１１によるサーボ動作によって前記再生レベル信号出力回路１０から出力される信号により再生レベル値ＶＰを一定のレベルに維持するべく制御するように構成されている。
【００２５】
以上に説明したように本発明に係る光ディスク記録再生装置は構成されているが、次に動作について説明する。光ディスク記録再生装置では、ディスクの内周側に設けられている試し書き領域においてレーザー出力を段階的に変更しながらテスト信号を記録し、その記録されたテスト信号の再生品位を測定することによってディスクに適したレーザー出力を設定するように構成されている。そして、斯かる設定動作により設定されるレーザー出力は、記録レベル値ＶＲ及び再生レベル値ＶＰだけでなく、該記録レベル値ＶＲと再生レベル値ＶＰとの関係がディスク４の記録特性に合わせて設定されることになる。
【００２６】
斯かる設定動作が行われると、制御回路６の制御動作によって記録レベル信号出力回路９及び再生レベル信号出力回路１０から夫々記録レベル値ＶＲ及び再生レベル値ＶＰの信号をレーザー駆動回路２から出力させるための制御動作が行われる。
【００２７】
そして、入力される記録信号に応じて加算回路１の選択加算制御動作を制御回路６が行い、その選択加算制御された信号がレーザー駆動回路２に供給される。その結果、レーザー駆動回路２から図２の(Ａ)に示す波形、即ち記録レベル値ＶＲと再生レベル値ＶＰより成るパルス波形の駆動信号がレーザーダイオード１に供給される。そして、斯かるパルス波形のレーザー駆動信号が出力される記録レベル値ＶＲが出力される期間及び再生レベルＶＰが出力される期間は、記録信号の長さに応じて変化せしめられることになる。
【００２８】
前述したように記録動作状態におけるレーザー駆動パルス信号の生成動作は行われるが、記録動作中再生レベル値ＶＲの値は、光検出器３による反射信号の検出動作、ＲＦ信号増幅回路５による増幅動作、再生期間サンプリング回路７によるサンプリング動作、信号レベル検出回路８による再生期間信号の検出動作及びサーボ回路１１によるサーボ動作によって再生期間のＲＦ信号のレベルが一定になるように制御される。従って、記録動作状態にあるときに温度変化等によってレーザーダイオード１から照射されるレーザー光のレベルが変化しても所望のレーザー出力が得られるように再生レベル値ＶＰを制御するための動作が行われることになる。
【００２９】
前述したように再生レベル値ＶＰの制御動作は行われるが、該再生レベル値ＶＰを基準としてその再生レベル値ＶＰの変化に応じて記録レベル値ＶＲの値を制御する動作が行われることになる。そして、斯かる記録レベル値ＶＲの調整動作は、レーザー出力の調整動作によって設定された関係に基づいて行われる。従って、ＲＦ信号のレベルを一定にするべく再生レベル値ＶＰが変化せしめられると、その変化に応じて記録レベル値ＶＲが変更されるので、その状態に適した記録動作を行うことが出来る。
【００３０】
前述したように記録動作状態におけるレーザー駆動信号の制御動作は行われるが、バッファアンダーランエラーを防止するために記録中断再開動作のための制御動作を行う場合
には、前述した記録状態より再生状態への切り換え動作が行われる。斯かる再生状態への切換動作が行われると、制御回路６の加算回路１２に対する制御動作によって再生レベル信号出力回路１０より出力される信号に基く駆動信号がレーザー駆動回路２からレーザーダイオード１に供給される状態に切り換えられる。
【００３１】
そして、斯かる場合レーザーダイオード１に供給される駆動信号のレベルを再生動作のための信号レベル、即ち再生動作レベル値Ｐになるように設定されるが、本発明では、それまで行われていた記録動作状態における再生レベル値ＶＰの変化に応じて前記再生動作レベル値Ｐを補正する動作が行われる。斯かる補正動作を行う結果、記録中断動作が行われた時点におけるレーザーダイオード１の発光特性に応じた再生用のレーザー出力を得ることが出来るので、再生動作を正確に行うことが出来る。
【００３２】
尚、本実施例では、記録レベル信号出力回路９及び再生レベル信号出力回路１０より出力される信号を加算回路１２によって加算制御することによってレーザー駆動回路２に駆動信号を供給するようにしたが、記録レベル信号出力回路９及び再生レベル信号出力回路１０より出力される信号を選択的に切り換えてレーザー駆動回路２に供給するようにすることも出来る。
【図面の簡単な説明】
【００３３】
【図１】本発明に係る光ディスク記録再生装置の一実施例を示す回路図である。
【図２】本発明に係るレーザーダイオードを駆動する動作を説明するための波形図である。
【図３】本発明に係るレーザーダイオードを駆動する動作を説明するための波形図である。
【符号の説明】
【００３４】
１        レーザーダイオード
２        レーザー駆動回路
３        光検出器
５        ＲＦ信号増幅回路
６        制御回路
７        再生期間サンプリング回路
８        信号レベル検出回路
９        記録レベル信号出力回路
１０        再生レベル信号出力回路
１１        サーボ回路
１２        加算回路
【図１】
2005050452.tif 000003
【図２】
2005050452.tif 000004
【図３】
2005050452.tif 000005